(57)【要約】      （修正有）【課題】高齢者や身障者、リハビリ中の歩行訓練者等が使用する多点支持杖が、使用者の身体の状態に合わなくなった際、身体の状態にあった接地部と棒状部に容易に組み替えられる多点支持杖を提供する。【解決手段】接地部１、棒状部２、握り部３からなり、接地部１上部にオスネジ台座５２を備え、棒状部２に、オスネジ台座５２に貫通させた結合パイプを挿入し、オスネジ台座５２と手回し円筒メスネジ５１を締め付けることで、接地部１と棒状部２を固定する。【選択図】図１
0003195836.tif 000002
【実用新案登録請求の範囲】
【請求項１】
接地部、棒状部、握り部を有する杖であって、前記接地部には少なくとも3点の滑り止め接地ゴムを備え、締め付けネジにより前記棒状部の下端部に前記接地部が着脱可能である事を特徴とした多点支持杖。
【請求項２】
前記接地部内部に軸部、軸部垂直保持バネ、スペーサーゴムを有し、前記棒状部と前記接地部の角度が可変する事により、地面に対して垂直方向から１０度までの角度で接地した場合においても前記滑り止め接地ゴムの全てが接地する事を特徴とした請求項１に記載の多点支持杖。
【請求項３】
前記接地部上部に、少なくとも２箇所にスリットが入ったオス側ネジ形状を有した円筒状の締め付け部を設置し、表面が手回しグリップ状のメス側円筒ネジに前記棒状部を貫通させ前記締め付け部に嵌合し、前記メス側円筒ネジを回転させる事で締め付け固定ができる請求項１に記載の多点支持杖。
【考案の詳細な説明】
【技術分野】
【０００１】
本考案は、高齢者や身障者、リハビリ中の歩行訓練者等が歩行の際に使用する多点支持杖に関する。
【背景技術】
【０００２】
従来の多点支持杖は、例えば特許文献１に記載されているような四点杖が一般的に用いられている。
【先行技術文献】
【特許文献】
【０００３】
【特許文献１】特開２００３−３３９８０号公報
【考案の概要】
【考案が解決しようとする課題】
【０００４】
多点支持杖を必要とする高齢者や障害者、リハビリ中の歩行訓練者の多くは症状の改善または悪化により必要とする杖の接地部の形状や寸法が変わる。さらに、多点支持杖の棒状部においても様々な形状が存在し、使用者各々の身体の状態により必要とする形状が異なる。しかし従来の多点支持杖はリベットや溶接等により棒状部と接地部が完全に固定されており、身体の症状が変わる度に購入し直す等、その都度身体にあった杖を用意しなければならない。
【０００５】
特に、リハビリ中の歩行訓練者については改善を目的としたリハビリを行っている場合が多く、身体の症状が変わりやすく、その都度必要とする杖を用意する手間や費用負担が大きかった。
【０００６】
それゆえ、本考案の目的は、接地部、棒状部それぞれ身体の症状に合わせ、付け替え可能な多点支持杖を提供する事である。
【課題を解決するための手段】
【０００７】
請求項１に記載の考案は、歩行補助を目的とした多点支持杖において、握り部、握り部下部に固定された棒状部、地面と接する複数の滑り止め接地ゴムを備えた接地部からなり、前記接地部が着脱可能であることを特徴とする。これにより既存の1点接地のT字杖や松葉杖、クラッチ等の接地部を前記着脱可能な接地部と付け替える事で、より安全な多点支持杖に変換することができる。
【０００８】
請求項２に記載の考案は、請求項１に記載の多点支持杖において、前記接地ゴムが地面に着地する際、前記接地部の角度が可変することで、地面に対し斜め方向から着地した場合においても複数点の前記接地ゴムが接地できることを特徴とする。
【０００９】
請求項３に記載の考案は、請求項１または２に記載の多点支持杖において、前記接地部上部に設置されたオスネジ部に前記棒状部を嵌合させ、前記棒状部を貫通させた、表面が手回しグリップ状のメス側円筒ネジにより手回しで締め付けることで前記棒状部と前記接地部が固定できることを特徴とする。
【考案の効果】
【００１０】
請求項１に記載の考案によれば、歩行補助を目的とした多点支持杖において、握り部、握り部下部に固定された棒状部、地面と接する複数の滑り止め接地ゴムを備えた接地部からなり、前記接地部が着脱可能であるので、身体の症状に変化があった場合に、握り部、棒状部を用意するだけで使用者の体格や症状に合わせた多点支持杖に組み替えることができる。特に身体機能の回復を目的としたリハビリにおいては、初期段階には松葉杖やクラッチ等を含む棒状部に多点支持の接地部を取り付け、より安定した状態で使用し、症状の改善に従い多点杖を１点支持杖にしていく等、リハビリの目標設定として明確な流れを提供することができる。
【００１１】
請求項２に記載の考案によれば、前記接地ゴムが地面に着地する際、前記接地部の角度が可変することで、地面に対し斜め方向から着地した場合においても複数点の前記接地ゴムが接地し、地面に対して摩擦抵抗を強めることができるためより安定して使用することができる。
【００１２】
請求項３に記載の考案によれば、接地部上部に設置されたオスネジ部に棒状部を嵌合させ、棒状部を貫通させた、表面が手回しグリップ状のメス側円筒ネジにより手回しで締め付けることで前記棒状部と前記接地部が固定できる為、工具類に不慣れであっても前記棒状部と前記接地部の着脱が容易である。
【図面の簡単な説明】
【００１３】
【図１】本考案の一実施形態に係る杖を示す斜視図である。
【図２】図１の杖の接地部の分解斜視図である。
【図３】図１の杖の接地部の断面図である。
【図４】図１の杖の接地部と棒状部の結合部の角度が可変した際の断面図である。
【図５】図１の杖の接地部と棒状部を固定する際の斜視図である。
【考案を実施するための形態】
【００１４】
以下、本考案の実施形態を図面を参照しながら説明する。
【００１５】
本考案に係る多点支持杖は、図１から図３に示すように、接地部１、棒状部２、握り部３からなり、接地部１上部にオスネジ台座５２を備え、棒状部２に、オスネジ台座５２に貫通させた結合パイプ３０を挿入し、オスネジ台座５２と手回し円筒メスネジ５１を締め付けることで、接地部１と棒状部２を固定する。
【００１６】
また、この実施形態では、固定時と反対方向に手回し円筒メスネジ５１を回転することにより、接地部１と棒状部２の固定を解除する。
【００１７】
より具体的には、接地部脚部１４の中央に設けられた穴１１に貫通させたスペーサーゴム２０に結合パイプ３０を貫通させ、スペーサーゴム２０上部にオスネジ台座５２を設置することで、使用時の衝撃を吸収し、より安定して接地部１と棒状部２を固定する。また、スペーサーゴム２０はゴムに限定されずゲル等の衝撃を吸収できる素材であってもよい。
【００１８】
図４には、接地部１に固定された棒状部２に対し横方向に力がかかった場合の角度変化の状態を示す。図３で示す通り棒状部２が接地部１に対して垂直状態の場合、結合パイプ台座３１は水平状態であるのに対し、棒状部２に対し横方向に力が掛かった場合は棒状部２は接地部１に対し斜めに傾く。スペーサーゴム２０が結合パイプ３０、結合パイプ台座３１双方の動きを制限することで１０度までの角度以上に傾かないよう拘束される。尚、傾き角度は１０度までに限定されず、使用者が転倒等の恐れが無い角度であればよい。また、接地部１と棒状部２の関係が斜めの状態の時、棒状部２に対する横方向の力が解放された場合、バネ４０の弾性により結合パイプ台座３１が押し下げられ棒状部２は垂直状態に戻る。
【００１９】
次に、図３、図５を参照しながら接地部１と棒状部２の固定方法を説明する。手回し円筒メスネジ５１を接地部１から外し、棒状部２の下部を貫通させる。接地部１を平らな場所に置き、棒状部２の下部に結合パイプ３０に接地部１に対して垂直方向から嵌合させ手回し円筒メスネジ５１を回動させることで末広がり形状のオスネジ部５２１が締め付けられ、棒状部締め付け部５２２が結合パイプ３０を締め付け固定する。尚、手回し円筒メスネジ５１は手回しに限らずペンチ等の工具で回転させてもよい。
【符号の説明】
【００２０】
１  接地部
２  棒状部
３  握り部
１０  接地部基礎部
１１  穴
１２  接地ゴム
１３  接地部基礎開口部
１４  接地部脚部
１５  接地部底板
１６  ネジ
２０  スペーサーゴム
３０  結合パイプ
３１  結合パイプ台座
４０  バネ
５１  手回し円筒メスネジ
５２  オスネジ台座
５３  ボルト
５１１  メスネジ部
５２１  オスネジ部
５２２  棒状部締め付け部
５２３  スリット
【図１】
0003195836.tif 000003
【図２】
0003195836.tif 000004
【図３】
0003195836.tif 000005
【図４】
0003195836.tif 000006
【図５】
0003195836.tif 000007